(57)【特許請求の範囲】
【請求項１】
現像剤を収容する現像剤容器に着脱可能であって、前記現像剤容器に現像剤を補給する現像剤補給容器において、
回転軸に対して回転自在に配置されるシート部材を備え、
前記シート部材は、前記回転軸の軸方向に現像剤を搬送する第一の現像剤搬送手段と、
前記第一の現像剤搬送手段とは、前記回転軸との距離が異なる位置に形成された、前記第一の現像剤搬送手段とは逆方向に現像剤を搬送する第二の現像剤搬送手段と、を有し、
前記第一及び第二の現像剤搬送手段の各々は、開口を複数配置して構成されることを特徴とする現像剤補給容器。
【請求項２】
前記現像剤補給容器内の現像剤を前記現像剤容器に補給する現像剤補給口を備え、
前記第一の現像剤搬送手段と前記第二の現像剤搬送手段のそれぞれは、前記シート部材における前記現像剤補給口に対向する領域を境にして、前記軸方向に搬送する現像剤の搬送方向を逆にすることを特徴とする請求項１記載の現像剤補給容器。
【請求項３】
前記第一の現像剤搬送手段は、前記第二の現像剤搬送手段よりも前記シート部材の回転端の側に配置され、
前記第一の現像剤搬送手段は、現像剤を前記軸方向の端部から前記対向する領域に向かう方向に搬送し、
前記第二の現像剤搬送手段は、現像剤を前記対向する領域から前記軸方向の前記端部に向かう方向に搬送することを特徴とする請求項２記載の現像剤補給容器。
【請求項４】
前記第一の現像剤搬送手段は、前記第二の現像剤搬送手段よりも、前記シート部材の回転端の側に配置され、
回転する前記シート部材による回転方向への現像剤の搬送力は、前記第二の現像剤搬送手段が配置されている領域よりも前記第一の現像剤搬送手段が配置されている領域のほうが大きいことを特徴とする請求項１乃至３のいずれか１項に記載の現像剤補給容器。
【請求項５】
前記第一の現像剤搬送手段による前記軸方向に現像剤を搬送する搬送力と、前記第二の現像剤搬送手段による前記軸方向に現像剤を搬送する搬送力と、に差があることを特徴とする請求項１乃至４のいずれか１項に記載の現像剤補給容器。
【請求項６】
前記第一及び第二の現像剤搬送手段による前記軸方向に現像剤を搬送する搬送力は、前記軸方向の端部付近において、前記軸方向の中央部から前記端部に向かう搬送力が前記端部から前記中央部に向かう搬送力よりも小さいことを特徴とする請求項５に記載の現像剤補給容器。
【請求項７】
前記第一及び第二の現像剤搬送手段の前記各々の開口は、前記軸方向に複数配置して構成されることを特徴とする請求項１乃至６のいずれか１項に記載の現像剤補給容器。
【請求項８】
前記第一の現像剤搬送手段の前記開口と前記第二の現像剤搬送手段の前記開口とは、前記回転軸の軸方向において重複する領域を有することを特徴とする請求項７に記載の現像剤補給器。
【請求項９】
前記開口の形状を変えることで前記軸方向への現像剤の搬送力を変えることを特徴とする請求項７または請求項８に記載の現像剤補給容器。
【請求項１０】
前記複数の開口の配置間隔を変えることで前記軸方向への現像剤の搬送力を変えることを特徴とする請求項７または請求項８に記載の現像剤補給容器。
【請求項１１】
前記開口の形状は、現像剤の搬送方向に向かうにしたがって開口幅が拡がる孔であることを特徴とする請求項７乃至１０のいずれか１項に記載の現像剤補給容器。
【請求項１２】
前記開口の形状は、現像剤の搬送方向に向かうにしたがって撓む舌片状の切り込みであることを特徴とする請求項７乃至１０のいずれか１項に記載の現像剤補給容器。
【請求項１３】
像担持体に形成した静電潜像を現像する現像装置であって、
請求項１乃至１２のいずれか１項に記載の現像剤補給容器と、
前記現像剤補給容器の現像剤補給口に連通する開口を備える現像剤容器と、
を有することを特徴とする現像装置。
【請求項１４】
像担持体に形成した静電潜像を現像装置により現像して画像形成する画像形成装置は、前記現像装置として請求項１３に記載の現像装置を備えたことを特徴とする画像形成装置。
【発明の詳細な説明】
【技術分野】
【０００１】
本発明は、現像装置に装着される現像剤補給容器に関する。
【背景技術】
【０００２】
従来、電子写真画像形成装置において、現像剤が使用されて消費された場合に、新たに現像剤を補給する現像剤補給方式が用いられている。現像剤補給方式としては、電子写真画像形成装置に着脱自在なトナーボトルのような現像剤補給容器を交換することにより、現像剤を補給する方式が用いられている。
【０００３】
例えば、特許文献１には、着脱可能な現像剤補給容器である円筒状のトナーボトルに現像剤であるトナーが充填され、このトナーボトル内に回転可能に設けられた回転軸に保持されて回転するとともに、回転端側がトナーボトルの内壁面に摺接する可撓性部材を備えた現像剤攪拌搬送部材が記載されている。
【０００４】
この現像剤攪拌搬送部材は、トナーボトルの内壁面に可撓性部材を摺接させることにより可撓性部材を弾性変形させ、この変形に伴って所定方向に力を発生させることで、トナーボトル内のトナーを現像剤攪拌搬送部材の回転方向に攪拌搬送するとともに、トナー補給口へ向けて回転軸方向にトナーを搬送するものである。このようにして、トナー補給口へ向けて回転軸方向にトナーを搬送させることで、トナーボトル内の残留トナー量を減少させることを可能とする。そして、トナー補給口から現像剤容器へ供給されたトナーは、現像剤容器で十分に攪拌搬送され、現像剤担持体である、現像ローラに供給される。
【先行技術文献】
【特許文献】
【０００５】
【特許文献１】特開２００３−１５６９２７号公報
【発明の概要】
【発明が解決しようとする課題】
【０００６】
トナーボトルは、生産後、画像形成装置に装着されて使用するまでの間に、工場、倉庫、ユーザ等で保管されることが一般的であるが、長期間安静な状態で保管されると、トナーが凝集して固まるという、いわゆるトナーブロッキング（ソフトブロッキングを含む）が生じることがある。特に、高温高湿環境下で長期保管されるとトナーブロッキングが発生し易い。また、トナーボトルを画像形成装置へ装着した状態からみて逆さまや横倒しの姿勢で長期保管すると、トナーボトルの上面や側面にトナーブロッキングが生じる。通常、トナーブロッキングが生じても、トナーボトル内部に設けられたトナー攪拌搬送部材がトナーブロッキングを解してトナーを搬送する。
【０００７】
しかしながら、近年、トナーボトルを交換する際のトナー漏れを減少させるためにトナーボトルと現像剤容器に連通されたトナー補給口の開口幅（特に、トナー攪拌搬送部材の回転軸方向の開口幅）を小さくすることが求められている。このようなトナー補給口の構成を備えたトナーボトルの場合、一旦トナーブロッキングが生じると、トナー攪拌搬送部材でトナーの塊を崩しつつ、トナーを現像剤容器に供給することが困難となる。トナーの塊を崩す前にトナーを供給すると画像形成装置にトナー詰まりが発生することや、出力された画像に画質欠陥等が生じることになる。
【０００８】
しかしながら、特許文献１に記載されたトナーボトル内に設けられたトナー攪拌搬送部材では、トナーブロックングを早期に解し、十分に解されたトナーを現像剤容器へ供給することは困難であるという課題があった。
【０００９】
本発明は、簡易な構成で現像剤を十分に攪拌して補給することができる現像剤補給容器を提供することにある。
【課題を解決するための手段】
【００１０】
上記の目的を達成するために、本発明は、現像剤を収容する現像剤容器に着脱可能であって、前記現像剤容器に現像剤を補給する現像剤補給容器において、回転軸に対して回転自在に配置されるシート部材を備え、前記シート部材は、前記回転軸の軸方向に現像剤を搬送する第一の現像剤搬送手段と、前記第一の現像剤搬送手段とは、前記回転軸との距離が異なる位置に形成された、前記第一の現像剤搬送手段とは逆方向に現像剤を搬送する第二の現像剤搬送手段と、を有し、前記第一及び第二の現像剤搬送手段の各々は、開口を複数配置して構成されることを特徴とする。
【発明の効果】
【００１１】
本発明によれば、簡易な構成で現像剤を十分に攪拌して補給することができる。
【図面の簡単な説明】
【００１２】
【図１】本発明に係る第１実施形態の現像装置の概略図である。
【図２】攪拌搬送部材が有する複数の現像剤搬送手段を説明する模式図である。
【図３】シート部材の搬送面に形成された開口部の一例である。
【図４】シート部材の搬送面に形成された開口部の他の一例である。
【図５】トナーボトルから現像剤容器へトナーが補給された初期の状態を示す模式図である。
【図６】トナーボトルから現像剤容器へトナーが補給された初期の状態を示す模式図である。
【図７】本発明に係る第２実施形態を説明する模式図である。
【図８】トナー補給口が攪拌搬送部材の回転軸の軸方向中央に位置していない場合を説明する模式図である。
【図９】本発明に係る第３実施形態を説明する模式図である。
【図１０】本発明に係る第４実施形態を説明する模式図である。
【図１１】本発明に係る第４実施形態の他の例を説明する模式図である。
【図１２】本発明に係る第４実施形態の他の例を説明する模式図である。
【図１３】本発明に係る第４実施形態の他の例を説明する模式図である。
【発明を実施するための形態】
【００１３】
〔第１実施形態〕
以下、本発明に係る第１実施形態について、図面を用いて説明する。
【００１４】
（現像装置の構成）
図１は本発明に係る第１実施形態の現像装置１の概略図である。
【００１５】
現像装置１は、電子写真方式等を採用した複写機やプリンタ、あるいはファクシミリ等の画像形成装置に使用される装置である。現像装置１は、不図示の像担持体である感光ドラム表面に形成された静電潜像を可視化する現像剤担持体としての現像ロール３と、現像剤としてのトナー８を帯電させるとともに現像ロール３の表面に形成されたトナー層を規制する現像ブレード４と、を有している。
【００１６】
現像装置１の現像剤容器２は、静電潜像を可視化する際に使用される現像剤としてのトナー８を収容する容器であり、現像ロール３にトナー８を供給搬送するトナー搬送部材５と、現像剤容器２内のトナー８を攪拌搬送してトナー搬送部材５へトナー８を供給搬送する攪拌搬送部材６と、を備えている。
【００１７】
（トナーボトルの構成）
トナーボトル７は、現像剤容器２に対して着脱可能な現像剤補給容器であり、形状は円筒状である。そのトナーボトル７は、その容器内に磁性一成分トナー８が収容され、現像剤容器２へのトナー８の補給が行われる開口（現像剤補給口）であるトナー補給口９を有している。また、トナーボトル７は、円筒形状の高さ方向に回転軸１２を有し、回転軸１２の周囲を回転可能でトナーボトル７内のトナー８を攪拌搬送する攪拌搬送部材１０を有する。攪拌搬送部材１０は、トナーボトル７内のトナー８を、トナー補給口９を介して現像剤容器２へ供給搬送する。供給されたトナー８は、トナー補給口９に対向する攪拌搬送部材６へ案内される。
【００１８】
（トナーボトルの攪拌搬送部材の構成）
図２は、攪拌搬送部材１０が有する複数の現像剤搬送手段を説明する模式図であり、現像剤容器２に、トナー補給口９を介して現像剤容器２の攪拌搬送部材６とトナーボトル７の攪拌搬送部材１０とが横並びするように取り付けた構成の内部を、上部から見た模式図である。
【００１９】
トナーボトル７の攪拌搬送部材１０は、現像ロール３の回転軸の軸方向と同じ方向に沿って延在する回転軸１２と、その回転軸１２に対して直交する方向の辺と回転軸１２の軸方向の辺とを有する略四角形状の搬送面１３を備えたシート状の部材であるシート部材１４と、を有している。シート部材１４は、回転軸１２に取り付けられて、トナーボトル７の内部を、回転軸１２を中心に回転可能に設けられている。トナー８が容器内一杯に充填されているトナーボトル７は、攪拌搬送部材１０の回転軸１２がトナー８に埋設される状態で、トナー補給口９を介して現像剤容器２へ供給されるトナー８が貯留されている。
【００２０】
（トナーボトルの攪拌搬送部材が有する２つの現像剤搬送手段の構成）
シート部材１４は、回転半径方向における回転中心から回転端までの間に、回転軸１２の軸方向に沿ってトナー８を搬送する現像剤搬送手段を複数有している。この複数の現像剤搬送手段は、シート部材１４が回転軸１２の回りをトナーボトル７内部下方からトナー補給口９を経てトナーボトル７内部上方へ回転移動することで、搬送面１３の面上を回転軸１２の軸方向に沿ってトナー８を搬送移動させる機能を備えている。複数の現像剤搬送手段は、シート部材１４の搬送面１３に回転軸１２の軸方向に沿って延在する、第一の現像剤搬送手段１５と、第一の現像剤搬送手段１５とは回転軸１２との距離が異なる位置に形成された、第二の現像剤搬送手段１６とから構成されている。そして、第一の現像剤搬送手段１５は、第二の現像剤搬送手段１６よりも回転軸１２の回転半径方向外側の回転端の側に併設して配置されている。
【００２１】
ここで、第一の現像剤搬送手段１５によるトナー８の搬送方向と第二の現像剤搬送手段１６によるトナー８の搬送方向とは、回転軸１２の軸方向に関して互いに逆方向となるように構成されている。このような搬送方向が互いに逆方向である現像剤搬送手段１５、１６は、攪拌搬送部材１０の回転に伴って、搬送面１３の面にそれぞれのトナー搬送経路１１を形成する。トナー搬送経路１１は、搬送面１３の面に沿って第一の現像剤搬送手段１５で回転軸１２の軸方向の一方端側へ搬送されたトナー８を、今度はその一方端側から、第二の現像剤搬送手段１６によって反対側の端部側へ向かって循環するように搬送するような経路である。
【００２２】
このトナー搬送経路１１により、トナーボトル７の回転軸１２の軸端部でのトナー８の滞留を防止して、より均一化されるようにトナー８を攪拌することができる。さらに、トナーボトル７内のトナー８を攪拌搬送部材１０の回転軸１２の軸方向に循環させることができるため、トナーブロッキングを早期に解消し、十分解された状態のトナー８を現像剤容器２に供給することができる。
【００２３】
第一の現像剤搬送手段１５と第二の現像剤搬送手段１６には、シート部材１４の搬送面１３に、以下に述べるような所定形状の開口部１７がそれぞれ列状に複数配置される構造を有する。
【００２４】
開口部１７は、軸方向に沿ったトナー搬送方向に直交する向きの開口の大きさ（開口幅）が、トナー搬送方向下流側に向かって大きくなるような形状を有している。ここで、搬送面１３が回転軸１２の軸回りを回動すると、搬送面１３に押し動かされるトナー８が搬送面１３の表側から裏側（回転方向の前方から後方）へ向けて開口部１７を抜ける際に、開口部１７の開口幅の小さい方はトナー８の動きに対して抵抗となる。そのため、トナー８が開口部１７を通り抜ける際の抵抗が小さくて済む、開口幅が大きい方へトナー８は移動する。このトナー８の移動によって、所定の方向へのトナー搬送が生じる。これは、回転する搬送面１３に対するトナー８からの圧力が小さくなる方向へ、すなわち、開口幅が大きくなる方向へ、トナー８が搬送面１３に押されて移動することで上述のような所定方向へのトナー搬送が行われることによる。
【００２５】
図３は、現像剤搬送手段としてのシート部材１４の搬送面１３に形成された開口部１７の一例である。
【００２６】
開口部１７は、搬送面１３が受けるトナー８の圧力が小さくなるように開口幅が大きくなるような、トナー８を搬送する方向とは逆方向に三角形の頂点が向いている形状の孔である。したがって、トナー搬送方向が逆の関係にある、第一の現像剤搬送手段１５の複数の開口部１７の三角形の頂点の向きと、第二の現像剤搬送手段１６の複数の開口部１７の三角形の頂点の向きとは、互いに逆の関係になっている。
【００２７】
シート部材１４の搬送面１３に形成された開口部１７の形状は、トナーボトル７の内部での攪拌搬送部材１０の回転によって上述のようなトナー８の移動を生じさせる形状であれば良く、ここでは開口部１７の形状が台形である例を説明する。
【００２８】
この開口部１７は、トナー８を搬送させたい方向に関して、開口の大きさ（開口幅）が拡がって大きくなるように台形形状を搬送面１３に配置する。すなわち、トナー８を搬送させたい方向に、台形の上底から下底が位置するように、台形形状の開口部１７が、図２の２つの現像剤搬送手段１５、１６の三角形の開口部１７それぞれに代わって設けられ、同様のトナー８の攪拌効果を奏している。
【００２９】
図５は、トナーボトル７から現像剤容器２へトナー８が補給され始める初期の状態を示す模式図である。
【００３０】
図５（ ａ）は、トナーボトル７から現像剤容器２へトナー８が補給され始める初期状態の現像装置１の側方断面模式図であり、図５（ｂ）は、そのときのトナーボトル７を上方から見た断面模式図である。
【００３１】
このトナー８が現像剤容器２へ補給され始める初期の状態では、トナーボトル７内の攪拌搬送部材１０が回転軸１２の回りを回転することにより、シート部材１４の搬送面１３の回転半径方向外側の回転端側でトナー８を現像剤容器２へ供給すべく搬送する。その際に、第一の現像剤搬送手段１５、第二の現像剤搬送手段１６により、攪拌搬送部材１０の回転軸１２の軸方向に沿った方向（トナー補給口９の長手方向に沿った方向）にもトナー８を搬送する。ここで、攪拌搬送部材１０の回転軸１２の軸方向は、トナーボトル７の長手方向に沿った方向でもある。また、トナーボトル７の長手方向は、トナー補給口９の長手方向、及び現像ロール３の回転軸方向に沿った方向でもある。
【００３２】
この２つの現像剤搬送手段１５、１６によるトナー８の搬送移動により、トナーボトル７の内部のトナー８は十分に攪拌され、トナーボトル７の長手方向に沿った均一状態は、これまでの現像剤容器の状態と比較して、より均一化されることが確認できた。また、トナーブロッキングが発生した場合でも、トナーボトル７内のトナー８を攪拌搬送部材１０の回転軸１２の軸方向に沿って往復循環させることができるので、トナーブロッキングを早期に解消し、十分解された状態のトナー８を現像剤容器２にトナー８を供給することができる。
【００３３】
次に、シート部材１４の搬送面１３に形成された、トナー８を回転軸１２の軸方向に沿った搬送を実現するための構成の他の例を説明する。
【００３４】
図６（ａ）から（ｄ）は、シート部材１４の搬送面１３に形成された切込み部１８の説明図である。
【００３５】
２つの現像剤搬送手段１５、１６には、トナー８を搬送させたい方向に向かって、攪拌搬送部材１０が回転軸１２を中心とする回転方向の後方（回転方向に関してシート部材１４の裏側）に撓んで開口が形成されるような切込み部１８が形成されている（図６（ａ））。切込み部１８は、攪拌搬送部材１０の回転に伴ってシート部材１４の搬送面１３が受けるトナー８からの圧力により、切り込みの無い方から切込み部１８の撓み片先端側へトナー８が移動するような形状である。トナー８からの圧力が搬送面１３に加わった際に、切込み部１８に開口が形成される方向へトナー８が移動することで、トナー８をそれぞれの所定の方向へ搬送するものである。
【００３６】
切込み部１８に形成される開口は、コ字形状、三角形状、あるいは台形形状でも良い（図６（ｂ）、（ｃ）、（ｄ））。コ字形状の切り込みの場合は、切り込みの無い側から対向する切り込みされた辺側へトナー８からの圧力で撓む。このようにして、トナー８が撓んだ舌片状の切込み部１８へ移動することにより、トナー８の搬送ができる。
【００３７】
三角形状の切り込みの場合は、トナー８からの圧力で撓み易いように、三角形の底辺側から頂点側へ切り込みを形成し、その方向にトナー８を搬送する。
【００３８】
台形形状の切り込みの場合は、同様の理由で下底側から上底側へ切り込みを形成し、その方向にトナー８を搬送する。台形形状は、三角形状の場合よりも辺の数が多いので、トナー搬送方向に直交する向きの開口の大きさ（開口幅）を容易に調整できるので、トナー搬送量の調整を容易に行える。
【００３９】
以上の実施形態では、２つの現像剤搬送手段１５、１６に形成された複数の開口部１７及び複数の切込み部１８は、それぞれ実質的に同一の大きさのものとして、それぞれの搬送力を同程度となるように設定した。しかしながら、開口部１７の形状の辺等の各部位の寸法、あるいは切込み部１８の切り込み方向とその形状の各部位の寸法を適宜選択することにより、トナー８の搬送力を設定することができる。
【００４０】
（第２実施形態）
図７は、本発明に係る第２実施形態を説明する模式図である。
【００４１】
ここでは、シート部材１４の回転半径方向外側の回転端側にある第一の現像剤搬送手段１５と、回転半径方向の回転軸側にある第二の現像剤搬送手段１６と、のそれぞれは、シート部材１４の搬送面１３のトナー補給口９に対向する領域を境にして、同一現像剤搬送手段内でトナー８を搬送する方向が逆になる構成としている。これにより、トナーボトル７からトナー補給口９を介しての現像剤容器２へのトナー排出性と、回転軸１２の軸方向へのトナー循環性と、を両立させている。
【００４２】
特に、本実施形態では、シート部材１４の回転半径方向外側の回転端側にある第一の現像剤搬送手段１５は、回転軸１２の軸方向端部側からトナー補給口９に対向する領域へトナー８を搬送するように構成している。
【００４３】
これは、トナーボトル７内の現像剤が少なくなってくると、トナーボトル７内のトナー８をトナー補給口９へ搬送する機能を有するのは回転端側にある第一の現像剤搬送手段１５のみで、シート部材１４の回転軸１２側にある第二の現像剤搬送手段１６はトナー８に触れない状態となり、その補給機能は果たさなくなる。そのような場合でも、トナーボトル７内のトナー８を残さずに現像剤容器２に供給するためには、少なくなったトナーボトル７内のトナー８をトナー補給口９へと集める必要がある。そのため、トナー補給口９への搬送機能を維持・発揮している第一の現像剤搬送手段１５が端部にあるトナー８をトナー補給口９に向けて搬送するように構成することにより、効率良く現像剤容器２へのトナー供給をすることを可能としている。
【００４４】
上述の効果を奏する具体的な現像剤搬送手段について、その構成を以下に詳述する。
【００４５】
第一の現像剤搬送手段１５は、現像剤を回転軸１２の軸方向の両端部からトナー補給口９に対向する搬送面１３上の領域に向かう方向にトナー搬送し、第二の現像剤搬送手段１６はトナー補給口９に対向する搬送面１３上の領域から回転軸１２の軸方向の両端部に向かう方向にトナー搬送する。このようにして、トナーボトル７内のトナー８を、トナー補給口９と対向する搬送面１３上の領域から攪拌搬送部材１０の回転軸１２の軸方向の両端側へ搬送した後、再びトナー補給口９に対向する搬送面１３上の領域へ戻すように搬送移動させるべく、第一の現像剤搬送手段１５と第二の現像剤搬送手段１６とが設けられている。
【００４６】
そのため、攪拌搬送部材１０のシート部材１４の搬送面１３には、第二の現像剤搬送手段１６が、回転軸１２の軸方向に関して、トナー補給口９に対向する領域を境にして回転軸１２の軸方向の両端側へトナー搬送する形状の開口部１７や切込み部１８が形成されている。
【００４７】
さらに、第二の現像剤搬送手段１５の回転半径外側（回転端側）の搬送面１３には、第一の現像剤搬送手段１５が、第二の現像剤搬送手段により両端部へ搬送されたトナー８をトナー補給口９に対向する領域へ戻すように搬送する形状の開口部１７や切込み部１８が形成されている。
【００４８】
この構成により、トナーボトル７内のトナー８は十分に攪拌され、トナーボトル７の長手方向のトナー８を均一状態にすることができる。さらに、トナーボトル７内のトナー残量が少ないときには、シート部材１４の回転端側にある第一の現像剤搬送手段１５によって、トナー補給口９側に積極的にトナーを搬送することができるため、トナーボトル７内のトナー残量を効率的に低減することができる。
【００４９】
また、図８に示すように、トナー補給口９が、装置全体の配置の関係で攪拌搬送部材６の回転軸１２の軸方向中央付近に位置していない場合であっても、本実施態様の構成を適用することができる。上述した２つの現像剤搬送手段１５、１６の構成を、トナー補給口９に対向する領域を上述した境とするように搬送面１３に形成することで、それぞれの現像剤搬送手段１５、１６の有する同様の効果を得ることができる。
【００５０】
図８は、トナー補給口９が攪拌搬送部材１０の回転軸１２の軸方向中央に位置していない場合を説明する模式図である。
【００５１】
図８に示すように、トナー補給口９が、装置全体の配置の関係で攪拌搬送部材１０の回転軸１２の軸方向中央付近に位置していない場合であっても、本実施態様の構成を適用することができる。上述した２つの現像剤搬送手段１５、１６の構成を、トナー補給口９に対向する搬送面１３上のお領域を上述した搬送を逆向きとする境となるように搬送面１３に形成することで、それぞれの現像剤搬送手段１５、１６の有する同様の効果を得ることができる。
【００５２】
（第３実施形態）
図９は、本発明に係る第３実施形態を説明する模式図である。
【００５３】
ここでは、第一の現像剤搬送手段１５による回転軸１２の軸回りの回転方向へのトナー搬送力と、第二の現像剤搬送手段１６による回転軸１２の軸回りの回転方向へのトナー搬送力と、に差を生じさせている。より具体的には、シート部材１４の回転によるトナー補給口９へのトナー搬送力は、第二の現像剤搬送手段１６が配置されている搬送面１３の領域よりも、第一の現像剤搬送手段１５が配置されている搬送面１３の領域のほうが大きいものである。
【００５４】
なお、攪拌搬送部材１０は、第１実施形態及び第２実施形態における種々の形態の２つの現像剤搬送手段１５、１６であっても、本実施形態に適用できる。例えば、開口部１７や切込み部１８の形状として、所定のトナー搬送方向と開口幅の関係とを満たす形状であるならば、図３に示した形状の他、図４及び図６に示した形状のものであっても良い。また、２つの現像剤搬送手段１５、１６における開口部１７や切込み部１８の配置として、図２に示す第１実施形態の構成や、図７及び図８に示す第２実施形態の構成を組み合わせたものであっても良い。
【００５５】
このように、本実施形態の第一の現像剤搬送手段１５の開口部１７又は切込み部１８の大きさは、第二の現像剤搬送手段１６の開口部１７又は切込み部１８よりも小さくしている。この構成により、第一の現像剤搬送手段１５による回転軸１２の軸回りの回転方向へのトナー搬送力を、第二の現像剤搬送手段１６の同じく回転方向へのトナー搬送力よりも小さくしている。つまり、第一の現像剤搬送手段１５の開口部１７又は切込み部１８を通って搬送面１３の表側から裏側に抜けるトナー８の量を、第二の現像剤搬送手段１６のそれより小さくしている。
【００５６】
この構成により、トナーボトル７の内部のトナー８を十分に攪拌しつつ、トナー８のトナー補給口９の方向への搬送力を、攪拌搬送部材１０のシート部材１４の回転軸１２に近い側よりも回転半径方向の回転端側の方で大きくすることができる。そのため、トナー補給口９へのトナー８の供給を容易に行えるとともに安定して行うことができる。
【００５７】
特に、端部のトナー８をトナー補給口９に対向する領域へ戻すトナー搬送経路１１を示す図７及び図８の第２実施形態と、第一の現像剤搬送手段１５の開口部を第二の現像剤搬送手段１６の開口部より小さくすることでトナー補給口９方向へのトナー搬送力をシート部材１４の回転端側で大きくすることができる本実施形態と、を組み合わせることでより一層、トナーボトル７内のトナー８を効率良く現像剤容器２の供給することができる。
【００５８】
（第４実施形態）
図１０及び図１１は、本発明に係る第４実施形態を説明する模式図である。
【００５９】
ここでは、現像剤搬送手段１５、１６による回転軸１２の軸方向へのトナー搬送力を、搬送面１３において、軸方向の端部付近で、軸方向中央部から端部に向かう搬送力が端部から中央部に向かう搬送力よりも小さい構成としている。
【００６０】
なお、攪拌搬送部材１０は、第１実施形態、第２実施形態及び第３実施形態における種々の形態の２つの現像剤搬送手段１５、１６と同様のものを適用できる。
【００６１】
これらの種々の形態に加えて、さらに本実施形態では、２つの現像剤搬送手段１５、１６の回転軸１２の軸方向端部におけるトナー搬送量を、両現像剤搬送手段間で異ならせる構成が適用されている。これは、開口部１７や切込み部１８の大きさを大きくすると、軸方向に沿ったトナー搬送量が多くなることを用いて得られる効果である。
【００６２】
図１０の構成では、攪拌搬送部材１０の回転軸１２の軸方向端部にある第二の現像剤搬送手段１６の開口部１７を、第一の現像剤搬送手段１５の開口部１７より小さくしている。この構成により、軸方向端部領域での２つの現像剤搬送手段１５、１６のそれぞれの搬送方向でのトナー搬送量に差を設けることができる。具体的には、第二の現像剤搬送手段１６の軸方向端部での端部方向へのトナー搬送力を減じることで、軸方向に沿って中央部から端部へ向かうトナー搬送量を小さくしている。
【００６３】
このように、軸方向端部にある現像剤容器２の内部壁にトナー８を押し付ける力を小さくすることができ、壁近傍でのトナー８の滞留量を抑えることができる。
【００６４】
また、図１１の構成では、攪拌搬送部材１０の回転軸１２の軸方向端部にある第一の現像剤搬送手段１５の開口部１７を、第二の現像剤搬送手段１６の開口部１７より大きくしている。この構成により、軸方向端部領域での２つの現像剤搬送手段１５、１６のそれぞれの搬送方向でのトナー搬送量に差を設けることができる。具体的には、第一の現像剤搬送手段１５の軸方向端部での中央部方向へのトナー搬送力を大きくすることで、軸方向端部から中央部側（トナーボトル７の中央側）へ搬送するトナー８の量を多くしている。
【００６５】
このように、軸方向端部にあるトナー８の量を減少させることで、現像剤容器２の内壁近傍でのトナー８の滞留量を抑えることができる。
【００６６】
さらに、図１０の構成と図１１の構成を組み合わせることにより、より効果を大きくすることができる。すなわち、第二の現像剤搬送手段１６の軸方向端部にある開口部１７を同じ現像剤搬送手段１６の端部以外の開口部１７より小さくし、第一の現像剤搬送手段１５の軸方向端部にある開口部１７を同じ現像剤搬送手段１５の端部以外の開口部１７より大きくする。
【００６７】
この構成により、トナー８を内壁に押し付ける力を抑えつつ、トナー８を中央部へ戻す量を多くすることができるので、トナーボトル７の内壁近傍でのトナー８の滞留量をより抑え、トナー８を十分に攪拌することができる。
【００６８】
図１２及び図１３は、本実施形態のさらに他の例を説明する模式図である。
【００６９】
図１２に示すように、攪拌搬送部材１０の回転軸１２の軸方向端部において、第二の現像剤搬送手段１６の開口部１７同士の配置間隔は、第一の現像剤搬送手段１５の開口部１７同士の配置間隔よりも大きく形成されている。配置間隔が大きくなると、そこでのトナー搬送量を小さくすることができる。
【００７０】
また、図１３に示すように、第二の現像剤搬送手段１６の端部に、第二の現像剤搬送手段１６による搬送方向とは逆方向にトナー８を搬送する構成を設けている。図１３の構成では、第二の現像剤搬送手段１６の端部の開口部１７を他の第二の現像剤搬送手段１６の開口部１７とは逆向きとし、第一の現像剤搬送手段１５の開口部１７と同じ向きに形成している。逆向きに開口部１７を形成することで、そこでのトナー搬送量を小さくすることができる。
【００７１】
これらの構成によっても、搬送面１３の軸方向端部の領域における２つの現像剤搬送手段１５、１６のそれぞれの搬送方向のトナー搬送量に差を設けることができる。そして、図１０及び図１１の構成と同様に、第二の現像剤搬送手段１６による端部側へのトナー搬送量よりも、第一の現像剤搬送手段１５による中央部側へのトナー搬送量を多くすることができる。そのため、図１０及び図１１の構成で得られる効果と同様の効果である、現像剤容器２の内部の端部でのトナー８の滞留を避けて、トナー８を十分に攪拌することができる。
【００７２】
図１０から図１３で示した開口部１７は、所定のトナー搬送方向と開口幅の関係を満たす形状であるならば、図３に示した形状の他、図４及び図６に示した形状のものであっても良い。また、２つの現像剤搬送手段１５、１６における開口部１７や切込み部１８の配置に基づくトナー循環のトナー搬送経路１１として、図２に示す第１実施形態の構成や、図７及び図８に示す第２実施形態の構成を組み合わせたものであっても良い。
【００７３】
特に、端部のトナー８をトナー補給口９に対向する領域へ戻すトナー搬送経路１１を示す図７及び図８の第２実施形態と、端部へ向かうトナー搬送力よりも端部から中央部（トナー補給口９が存在する側）へ向かうトナー搬送力を大きくできる本実施形態と、を組み合わせることでより一層、トナーボトル７内のトナー８を効率良く現像剤容器２の供給することができる。
【００７４】
また、本実施形態に、第３実施形態の図９及び図１０で示した２つの現像剤搬送手段１５、１６の構成を組み合わせることで、第３実施形態の現像剤容器２の内部の端部におけるトナー８の滞留を避けることもできる。
【００７５】
なお、上述した各実施態様では、攪拌搬送部材１０が備えるシート部材１４は１枚であるが、回転軸１２の回転方向に重ならないように回転軸の周囲に複数のシート部材１４を配置してもよい。
【００７６】
また、上述した各実施態様で得られる効果としてあるトナー８の十分な攪拌状態は、従来例の構成の装置と比較して、軸方向中央部と端部とでのトナー凝集度（トナーブロッキングの程度）の差が小さいことで確認された。
【符号の説明】
【００７７】
１・・・現像装置
２・・・現像剤容器
３・・・現像ロール
４・・・現像ブレード
５・・・トナー搬送部材
６・・・攪拌搬送部材
７・・・トナーボトル
８・・・トナー
９・・・トナー補給口
１０・・・攪拌搬送部材
１１・・・トナー搬送経路
１２・・・回転軸
１３・・・搬送面
１４・・・シート部材
１５・・・第一の現像剤搬送手段
１６・・・第二の現像剤搬送手段
１７・・・開口部
１８・・・切込み部
【図１】
0006414848.tif 000002
【図２】
0006414848.tif 000003
【図３】
0006414848.tif 000004
【図４】
0006414848.tif 000005
【図５】
0006414848.tif 000006
【図６】
0006414848.tif 000007
【図７】
0006414848.tif 000008
【図８】
0006414848.tif 000009
【図９】
0006414848.tif 000010
【図１０】
0006414848.tif 000011
【図１１】
0006414848.tif 000012
【図１２】
0006414848.tif 000013
【図１３】
0006414848.tif 000014